(57)【要約】【課題】「印刷前準備時間の短縮」、「労働負荷の軽減」、「印刷資材の節約」、「生産効率の向上」、「コストの低減」等を実現する。【解決手段】生産計画に基づいて策定した必要生産量（印刷枚数）Ｎ１およびインキ膜厚の補正に必要な印刷枚数Ｎ２をプリセットカウンタ１１−１および１１−２にセットし、セレクトスイッチ１１−７を「連動」としておく。印刷枚数のカウント値がＮ１に達すると本刷り作業の完了をオペレータに知らせる。オペレータは、ヤレ紙の発生があれば、その分追加して本刷りを行う。この後、押しボタンスイッチ１１−６を押してプリセットカウンタ１１−１をオフとする。この時の押しボタンスイッチ１１−６からのプリセットカウンタ１１−１へのオフ信号をトリガとして、インキ膜厚の自動補正をスタートする。【選択図】  図２
2008012929.tif 000002
【特許請求の範囲】
【請求項１】
セットされた印刷枚数をカウントするカウンタに対する操作部材からの信号をトリガとして、インキローラ群に形成されているインキ膜厚分布から、現在セットされている刷版の絵柄に応じたインキ膜厚分布を除去するようにしたことを特徴とするインキ膜厚補正方法。
【請求項２】
セットされた印刷枚数をカウントするカウンタと、このカウンタに対する操作部材と、この操作部材からの信号をトリガとして、インキローラ群に形成されているインキ膜厚分布から、現在セットされている刷版の絵柄に応じたインキ膜厚分布を除去するインキ除去手段とを備えたことを特徴とするインキ膜厚補正装置。
【請求項３】
セットされた印刷枚数をカウントするカウンタに対する操作部材からの信号をトリガとして、インキローラ群上のほゞ全てのインキをインキツボに戻すようにしたことを特徴とするインキ膜厚補正方法。
【請求項４】
セットされた印刷枚数をカウントするカウンタと、このカウンタに対する操作部材と、この操作部材からの信号をトリガとして、インキローラ群上のほゞ全てのインキをインキツボに戻すインキ戻し手段とを備えたことを特徴とするインキ膜厚補正装置。
【請求項５】
請求項１又は３に記載されたインキ膜厚補正方法において、
前記操作部材は、前記カウンタをオフとするスイッチであることを特徴とするインキ膜厚補正方法。
【請求項６】
請求項１又は３に記載されたインキ膜厚補正方法において、
前記操作部材は、前記カウンタをリセットするスイッチであることを特徴とするインキ膜厚補正方法。
【請求項７】
請求項１又は３に記載されたインキ膜厚補正方法において、
前記操作部材は、前記カウンタを再セットするスイッチであることを特徴とするインキ膜厚補正方法。
【請求項８】
請求項２又は４に記載されたインキ膜厚補正装置において、
前記操作部材は、前記カウンタをオフとするスイッチであることを特徴とするインキ膜厚補正装置。
【請求項９】
請求項２又は４に記載されたインキ膜厚補正装置において、
前記操作部材は、前記カウンタをリセットするスイッチであることを特徴とするインキ膜厚補正装置。
【請求項１０】
請求項２又は４に記載されたインキ膜厚補正装置において、
前記操作部材は、前記カウンタを再セットするスイッチであることを特徴とするインキ膜厚補正装置。
【発明の詳細な説明】
【技術分野】
【０００１】
この発明は、試刷り作業および本刷り作業を行う前に、インキローラ群に形成されているインキ膜厚分布を自動的に補正して、作業に最適なインキ膜厚分布を形成するインキ膜厚補正方法およびインキ膜厚補正装置に関するものである。
【背景技術】
【０００２】
図９に輪転印刷機におけるインキ供給装置の要部を示す。同図において、１はインキツボ、２はインキツボ１に蓄えられたインキ、３はインキツボローラ、４（４−１〜４−ｎ）はインキツボローラ３の軸方向に複数並設して設けられたインキツボキー、５はインキ移しローラ、６はインキローラ群、７は刷版、８は湿し水、９は給水ローラ群、１０は版胴である。
【０００３】
このインキ供給装置では、インキツボキー４−１〜４−ｎの開度調整によってインキツボ１内のインキ２をインキツボローラ３に供給し、このインキツボローラ３に供給されたインキをインキ移しローラ５の呼び出し動作によりインキローラ群６を介して刷版７へ供給する。また、このインキ供給と併行して、湿し水８を給水ローラ群９を介して刷版７へ供給する。
【０００４】
刷版７を交換して新しい刷版７’とした場合、この新刷版７’の絵柄に応じた値にインキツボキー４−１〜４−ｎの開度やインキツボローラ３の回転量，湿し水８の供給量などがプリセットされる。すなわち、インキツボキー４−１〜４−ｎの開度やインキツボローラ３の回転量，湿し水８の供給量などを新刷版７’の絵柄に応じた値として、インキツボ１内のインキ２がインキローラ群６を介して、また湿し水８が給水ローラ群９を介して新刷版７’へ供給される。この場合、本刷りの前に試刷りを行って、インキ供給量を調整し、満足すべき色調を得る。これにより、インキローラ群６には、所望のインキ膜厚分布（インキ膜厚さの勾配）が作られる（例えば、特許文献１参照）。
【０００５】
【特許文献１】特開平７−１２５１８１号公報
【発明の開示】
【発明が解決しようとする課題】
【０００６】
しかしながら、このような従来のインキ供給装置では、刷版７を交換して新刷版７’とした場合、旧刷版７に対するインキ膜厚分布がインキローラ群６に残っている。すなわち、この場合、旧刷版７に対するインキ膜厚分布を新刷版７’に対するインキ膜厚分布に徐々に変えて行かなければならず、満足すべき色調を得るまでにインキ供給量の調整と試刷りを過大に必要とし、「印刷前準備時間の増加」、「労働負荷の増大」、「印刷資材の浪費」、「生産効率の低下」、「コストアップ」等の問題が生じていた。
【０００７】
本発明はこのような課題を解決するためになされたもので、その目的とするところは、「印刷前準備時間の短縮」、「労働負荷の軽減」、「印刷資材の節約」、「生産効率の向上」、「コストの低減」等を実現することのできるインキ膜厚補正方法およびインキ膜厚補正装置を提供することにある。
【課題を解決するための手段】
【０００８】
このような目的を達成するために、第１発明（請求項１、２に係る発明）は、セットされた印刷枚数をカウントするカウンタに対する操作部材からの信号をトリガとして、インキローラ群に形成されているインキ膜厚分布から、現在セットされている刷版の絵柄に応じたインキ膜厚分布を除去するようにしたものである。
この発明によれば、カウンタのカウント値がセットされた印刷枚数に達したことを確認のうえ、このカウンタに対する操作部材を操作すると、現在セットされている刷版の絵柄に応じたインキ膜厚分布がインキローラ群から自動的に除去され、絵柄のない部分に対応するインキ膜厚分布が残される。
【０００９】
第２発明（請求項３，４に係る発明）は、セットされた印刷枚数をカウントするカウンタに対する操作部材からの信号をトリガとして、インキローラ群上のほゞ全てのインキをインキツボに戻すようにしたものである。
この発明によれば、カウンタのカウント値がセットされた印刷枚数に達したことを確認のうえ、このカウンタに対する操作部材を操作すると、インキローラ群上のほゞ全てのインキがインキツボに戻される。
【００１０】
本発明（第１、第２発明）において、操作部材としては、セットされた印刷枚数をカウントするカウンタをオフとするスイッチ、セットされた印刷枚数をカウントするカウンタをリセットするスイッチ、セットされた印刷枚数をカウントするカウンタを再セットするスイッチなどが考えられる。
【発明の効果】
【００１１】
本発明によれば、第１発明では、カウンタのカウント値がセットされた印刷枚数に達したことを確認のうえ、このカウンタに対する操作部材を操作すると、現在セットされている刷版の絵柄に応じたインキ膜厚分布がインキローラ群から自動的に除去されるものとなり、刷版の交換に際してインキローラ群に残されている絵柄のない部分に対応するインキ膜厚分布に新刷版の絵柄に応じたインキ膜厚分布を重畳するのみでよくなり、満足すべき色調を得るまでの時間が大幅に短縮され、「印刷前準備時間の短縮」、「労働負荷の軽減」、「印刷資材の節約」、「生産効率の向上」、「コストの低減」等を実現することができるようになる。また、印刷中にヤレ紙が発生し、その分追加して本刷りを行いたい場合にも対応することができるようになる。
【００１２】
また、第２発明では、カウンタのカウント値がセットされた印刷枚数に達したことを確認のうえ、このカウンタに対する操作部材を操作すると、インキローラ群上のほゞ全てのインキがインキツボに戻されるものとなり、これによってインキローラ群上のほゞ全てのインキをインキツボに回収した後、印刷中に必要とされる最低限のインキ膜厚分布（絵柄のない部分に対応するインキ膜厚分布）を形成するようにすれば、刷版の交換に際してインキローラ群に残されている絵柄のない部分に対応するインキ膜厚分布に新刷版の絵柄に応じたインキ膜厚分布を重畳するのみでよくなり、満足すべき色調を得るまでの時間が大幅に短縮され、「印刷前準備時間の短縮」、「労働負荷の軽減」、「印刷資材の節約」、「生産効率の向上」、「コストの低減」等を実現することができるようになる。また、印刷中にヤレ紙が発生し、その分追加して本刷りを行いたい場合にも対応することができるようになる。
【発明を実施するための最良の形態】
【００１３】
以下、本発明を実施の形態に基づき詳細に説明する。図２は図９に示したインキ供給装置に対して設けられた操作パネルを示す正面図である。この操作パネル１１は輪転印刷機の排紙部に設けられている。操作パネル１１には、プリセットカウンタ１１−１，１１−２、セレクトスイッチ１１−３，１１−４、押しボタンスイッチ１１−５，１１−６、インキ膜厚補正用のセレクトスイッチ１１−７、カウンタ１１−８およびトータルカウンタ１１−９が設けられている。
【００１４】
プリセットカウンタ１１−１には生産計画に基づいて策定される必要生産量（印刷枚数）Ｎ１がセットされる。セレクトスイッチ１１−３はプリセットカウンタ１１−１に対して設けられている。セレクトスイッチ１１−３の操作位置を「リセット」とすると、プリセットカウンタ１１−１にセットされている印刷枚数Ｎ１がリセットされ、「切り」にするとプリセットカウンタ１１−１の機能が停止する。セレクトスイッチ１１−３の操作位置を「入り」にした状態で、押しボタンスイッチ１１−６を押すとプリセットカウンタ１１−１の動作が開始し、再度押すとプリセットカウンタ１１−１の動作が停止する。
【００１５】
プリセットカウンタ１１−２にはインキ膜厚の自動補正（後述）を行うために必要な印刷枚数Ｎ２がセットされる。セレクトスイッチ１１−４はプリセットカウンタ１１−２に対して設けられている。セレクトスイッチ１１−４の操作位置を「リセット」とすると、プリセットカウンタ１１−２にセットされている印刷枚数Ｎ２がリセットされ、「入り」にするとプリセットカウンタ１１−２の動作が開始し、「切り」にするとプリセットカウンタ１１−２の機能が停止する。
【００１６】
セレクトスイッチ１１−７は、「連動」，「単独」「切り」の３つの操作位置に切り替えることが可能で、その操作位置を「連動」にしておくと、プリセットカウンタ１１−１にセットされた印刷枚数Ｎ１のカウント終了と同時にインキ膜厚の自動補正が行われる。その操作位置を「単独」にしておくと、押しボタンスイッチ１１−５をオンとすることによって、インキ膜厚の自動補正を任意のタイミングで行うことが可能となる。その操作位置を「切り」にしておくとインキ膜厚の自動補正は行われない。
【００１７】
〔参考例〕
先ず、参考として、図１に示すフローチャートに従って、上述したインキ膜厚の自動補正について説明する。
【００１８】
〔自動補正(1)：本刷り作業の終了時に連動してインキ膜厚の自動補正を行う場合〕
オペレータは、印刷作業の開始にあたって、生産計画に基づいて策定した必要生産量（印刷枚数）Ｎ１をプリセットカウンタ１１−１にセットし、セレクトスイッチ１１−３を「入り」の位置に切り替えておく。また、インキ膜厚の補正に必要な印刷枚数Ｎ２をプリセットカウンタ１１−２にセットし、セレクトスイッチ１１−４を「入り」の位置に切り替えておく。また、インキ膜厚補正用のセレクトスイッチ１１−７の操作位置を「連動」としておく（図１に示すステップ１０１，１０２）。
【００１９】
印刷作業が開始されて本刷りになると、オペレータは、押しボタンスイッチ１１−６を押す。これにより、プリセットカウンタ１１−１は、印刷枚数のカウントを開始する。プリセットカウンタ１１−１は、その印刷枚数のカウント値がセットされている印刷枚数Ｎ１に到達すると、カウント終了信号を発生する。このカウント終了信号によって、警報音が発せられ、本刷り作業の完了がオペレータに知らされると共に、印刷が停止される（ステップ１０３）。また、プリセットカウンタ１１−１からのカウント終了信号をトリガとして、通常のプログラムから膜厚補正用プログラムへの切り替えが行われ（ステップ１０４）、一定時間経過後に、インキ膜厚の自動補正がスタートされる（ステップ１０５）。
【００２０】
このインキ膜厚の自動補正は次のようにして行われる。フィーダおよびフィーダポンプをオンとして（ステップ１０６）、給紙部に積載されている印刷用紙の給紙を行い、印刷を開始する（ステップ１０７）。この印刷に際して、図９に示したインキ供給装置では、インキ移しローラ５の呼び出し動作を停止させた状態とする。
【００２１】
この場合、インキローラ群６には、各キーゾーン毎に、刷版７の絵柄に応じたインキ膜厚分布（上流から下流になるにしたがって薄くなるインキ膜厚分布）が形成されている。このインキ膜厚分布は、刷版７の絵柄に応じたインキ膜厚分布Ｍｂと絵柄がない部分に対応するインキ膜厚分布（印刷中に必要とされる最低限のインキ膜厚分布）Ｍａとによって構成されている（図３（ａ）参照）。
【００２２】
インキ移しローラ５の呼び出し動作を停止させた状態で印刷を行うと、インキローラ群６へのインキの供給が停止された状態で、インキローラ群６上のインキが消費され、そのインキ膜厚は徐々に薄くなる。この場合、絵柄の多いキーゾーンではインキが多く消費され、絵柄の少ないキーゾーンではインキが少なく消費される。プリセットカウンタ１１−２にセットされている印刷枚数Ｎ２の印刷を行った後では、各キーゾーンについて、インキローラ群６から刷版７の絵柄に応じたインキ膜厚分布Ｍｂが除去され、絵柄がない部分に対応するインキ膜厚分布Ｍａが残される（図３（ｂ）参照）。
【００２３】
すなわち、この実施の形態では、プリセットカウンタ１１−２にセットする印刷枚数Ｎ２を適当に定めることにより、インキローラ群６から刷版７の絵柄に応じたインキ膜厚分布Ｍｂを除去し、絵柄がない部分に対応するインキ膜厚分布Ｍａを残すようにしている。この場合、プリセットカウンタ１１−２にセットする印刷枚数Ｎ２は、刷版７に対する本刷り時のプリセットデータから求めることができる。すなわち、本刷り時のプリセットデータからインキの供給量が分かり、インキローラ群６上に残されているインキ膜厚分布Ｍｂによるインキが刷版７の絵柄に対して何枚分になるかが分かり、この関係をテストを重ねて明らかとしておくことによって、絵柄がない部分に対応するインキ膜厚分布Ｍａを残すための印刷枚数Ｎ２を求めることができる。この求めた印刷枚数Ｎ２をプリセットカウンタ１１−２にセットする。
【００２４】
ステップ１０７で印刷を開始してから、その印刷枚数がＮ２に到達すると、プリセットカウンタ１１−２がカウント終了信号を発生する。このカウント終了信号によって、警報音が発せられ、インキ膜厚の自動補正完了がオペレータに知らされると共に、印刷が停止される（ステップ１０８）。また、プリセットカウンタ１１−２からのカウント終了信号をトリガとして、インキ移しローラ５の呼び出し動作の停止を解除したうえ、通常の制御プログラムへ戻される（ステップ１０９）。
【００２５】
このようにしてインキ膜厚の自動補正が行われ、インキローラ群６に刷版７の絵柄がない部分に対応するインキ膜厚分布Ｍａが残された状態で、オペレータは、ブランケットの洗浄を行い、刷版７を新しい刷版７’と交換する。この刷版の交換後、新刷版７’の絵柄に応じた値にインキツボキー４−１〜４−ｎの開度やインキツボローラ３の回転量，湿し水８の供給量などをプリセットする。この場合、インキローラ群６からは前の刷版７の絵柄に応じたインキ膜厚分布Ｍｂが除去されているので、速やかに満足すべき色調を得ることができるようになる。すなわち、インキローラ群６に残されているインキ膜厚分布Ｍａに新刷版７’の絵柄に応じたインキ膜厚分布Ｍｂ’を重畳するのみでよいので、満足すべき色調を得るまでの時間が大幅に短縮され、新刷版７’を用いての本刷り作業（ステップ１１０）へ速やかに移行することができる。
【００２６】
なお、この新刷版７’を用いての本刷り作業においても、ステップ１０１と同様にして「インキ膜厚の制御機能の選択」を行うようになすことは言うまでもない。この場合、セレクトスイッチ１１−７の操作位置をそのまま「連動」としておけば、本刷り作業の終了の都度、自動的にインキ膜厚分布の補正が繰り返される。
【００２７】
〔自動補正(2)：本刷り作業と切り離して単独でインキ膜厚の自動補正を行う場合〕
ユーザの要望や原稿または校正刷り等により標準的な印刷品質と異なる品質で印刷を行うことがある。また、本刷り作業に入った後の印刷品質が刷り出し時に比較して印刷濃度が高くなったような場合、その濃度を途中で下げたい場合がある。このような場合にインキ膜厚の自動補正を単独作業として行う。
【００２８】
この場合、オペレータは、セレクトスイッチ１１−７の操作位置を「単独」とし（図１に示すステップ１１１）、本刷り作業を中断する（ステップ１１２）。そして、必要に応じてプリセットカウンタ１１−２へセットされている印刷枚数Ｎ２の値を変更した後、押しボタン１１−５をオンとする（ステップ１１３）。これにより、制御プログラムの切り替えが行われ（ステップ１１４）、インキ膜厚の自動補正がスタートされる（ステップ１０５）。
【００２９】
この自動補正では、プリセットカウンタ１１−２にセットされた印刷枚数Ｎ２に応じて、刷版７の絵柄に応じたインキ膜厚Ｍｂが修正される。すなわち、必要とする印刷品質のレベルに合わせて印刷枚数Ｎ２を定めることにより、誰でもが容易に所望とする印刷品質を確保することができるようになる。
【００３０】
なお、プリセットカウンタ１１−２にセットされている印刷枚数Ｎ２を変えずに、インキ膜厚の自動補正を行った後（インキローラ群６にインキ膜厚分布Ｍａを残した後）、インキ移しローラ５を作動させることによって、インキ膜厚分布Ｍａに修正したインキ膜厚分布Ｍｂを重畳するようにしてもよい。このような修正方法とすることにより、印刷濃度を低目だけではなく、高目にも変更することができる。
【００３１】
〔インキ膜厚の補正を行わない場合〕
同一の印刷物を大量に印刷する場合、または複数日に渡って同一の印刷作業を行う場合には、作業を終了してもインキ膜厚分布の補正を行う必要性がない。インキ膜厚の補正作業を行わない場合には、セレクトスイッチ１１−７の操作位置を「切り」の位置にセットし、本刷り作業を継続して行う。この場合、インキ膜厚の補正作業は、一切行われない状態を維持する。セレクトスイッチ１１−７の操作位置を「切り」の位置から「連動」または「単独」に切り替えると、再びインキ膜厚の補正作業を行うことができる。
【００３２】
〔実施の形態１〕
上述した参考例では、プリセットカウンタ１１−１での設定値Ｎ１のカウント終了後に、自動的にインキ膜厚の自動補正が行われるものとした。しかし、この方式では、印刷中にヤレ紙が発生し、実際の印刷枚数がＮ１に満たないような場合、その分追加して本刷りを行いたいにも拘わらず、これに対応することができない。
【００３３】
そこで、実施の形態１では、プリセットカウンタ１１−１でのカウント値が設定値Ｎ１に到達しても、直ちにインキ膜厚の自動補正に進まないようにする。具体的には、図４に示すように、ステップ１０３と１０４との間にステップ１１５を設ける。すなわち、ステップ１０３により本刷り作業の完了がオペレータに知らされた場合、オペレータはヤレ紙が発生しなかったかをチェックする。ヤレ紙の発生があれば、その分追加して本刷りを行う。この後、すなわち所要とする印刷枚数Ｎ１を得た後、押しボタンスイッチ１１−６を押してプリセットカウンタ１１−１をオフとする。この時の押しボタンスイッチ１１−６からのプリセットカウンタ１１−１へのオフ信号をトリガとして、インキ膜厚の自動補正へ移行する。
【００３４】
〔実施の形態２〕
実施の形態１ではプリセットカウンタ１１−１へのオフ信号をトリガとしてインキ膜厚の自動補正へ移行するようにした。これに対して、実施の形態２では、プリセットカウンタ１１−１へのリセット信号をトリガとしてインキ膜厚の自動補正へ移行する。
【００３５】
すなわち、ステップ１０３と１０４との間にステップ１１６（図５参照）を設け、ステップ１０３により本刷り作業の完了がオペレータに知らされた場合、オペレータはヤレ紙が発生しなかったかをチェックする。ヤレ紙の発生があれば、その分追加して本刷りを行う。この後、セレクトスイッチ１１−３の操作位置を「リセット」の位置にし、プリセットカウンタ１１−１への設定値および現在のカウント枚数をリセットする。この場合、プリセットカウンタ１１−１の設定値および現在のカウント数は、図６に示すように表示部１１−１Ａおよび１１−Ｂに並置して表示する構成とする。この時のセレクトスイッチ１１−３からプリセットカウンタ１１−１へのリセット信号をトリガとして、インキ膜厚の自動補正へ移行する。
【００３６】
〔実施の形態３〕
実施の形態３では、プリセットカウンタ１１−１への再セット信号をトリガとして、インキ膜厚の自動補正へ移行するようにする。この場合、セレクトスイッチ１１−３の「リセット」位置は「再セット」位置として（図７参照）、図８に示すようにステップ１０３と１０４との間にステップ１１７を設ける。
【００３７】
ステップ１０３により本刷り作業の完了がオペレータに知らされた場合、オペレータはヤレ紙が発生しなかったかをチェックする。ヤレ紙の発生があれば、その分追加して本刷りを行う。この後、セレクトスイッチ１１−３の操作位置を「再セット」の位置にし、プリセットカウンタ１１−１に次のジョブの本刷り枚数をセットする。この時のセレクトスイッチ１１−３からプリセットカウンタ１１−１への再セット信号をトリガとして、インキ膜厚の自動補正へ移行する。
【００３８】
なお、上述した各実施の形態では、プリセットカウンタ１１−２にインキ膜厚の自動補正を行うために必要な印刷枚数Ｎ２をセットし、この印刷枚数Ｎ２の印刷を行うことによってインキローラ群６から刷版７の絵柄に応じたインキ膜厚分布Ｍｂを除去し、絵柄がない部分に対応するインキ膜厚分布Ｍａを残すようにした。インキローラ群６から刷版７の絵柄に応じたインキ膜厚分布Ｍｂを除去する方法としては、このような印刷による方法の他、インキローラ群６上のインキをインキツボ１に回収（ツボ返し）する方法もある。
【００３９】
すなわち、インキツボキー４−１〜４−ｎの開度を全て零とし、インキ移しローラ５に所定回数の呼び出し動作をさせる。これにより、インキローラ群６上のインキがインキツボ１内に回収されて行き、インキローラ群６から刷版７の絵柄に応じたインキ膜厚分布Ｍｂが除去され、絵柄がない部分に対応するインキ膜厚分布Ｍａが残される。
【００４０】
この場合、インキの回収時間（インキ呼び出し回数）は、刷版７に対する本刷り時のプリセットデータから求めることができる。すなわち、本刷り時のプリセットデータからインキの供給量が分かり、インキローラ群６上に残されているインキを所定の条件下でインキツボ１内に回収するにはどれだけの時間が必要かが分かり、この関係をテストを重ねて明らかとしておくことによって、絵柄がない部分に対応するインキ膜厚分布Ｍａを残すためのインキの回収時間を求めることができる。
【００４１】
また、インキローラ群６上の全て又は僅少なインキを残して残りのインキを上述したツボ返しでインキツボ１に回収した後、絵柄がない部分に対応するインキ膜厚分布Ｍａを形成するようにしてもよい。すなわち、インキローラ群６上の全て又はほゞ全てのインキをインキツボ１に回収した後、インキツボキー４−１〜４−ｎの開度を所定開度（例えば、５０％）としたうえ、またインキツボローラ３の回転量を所定量（例えば、５０％）としたうえ、本機を運転し、インキ移しローラ５を所定回数呼び出し動作させて、絵柄がない部分に対応するインキ膜厚分布Ｍａをインキローラ群６に形成するようにしてもよい。
【図面の簡単な説明】
【００４２】
【図１】本発明に係るインキ膜厚の自動補正方法を説明するためのフローチャート（参考例）である。
【図２】図９に示したインキ供給装置に対して設けられた操作パネルを示す正面図である。
【図３】このインキ供給装置のインキローラ群上に形成されるインキ膜厚分布ＭａおよびＭｂを示す図である。
【図４】本発明に係るインキ膜厚の自動補正方法を説明するためのフローチャート（実施の形態１）である。
【図５】本発明に係るインキ膜厚の自動補正方法を説明するためのフローチャート（実施の形態２）である。
【図６】実施の形態２において用いる操作パネルを示す正面図である。
【図７】実施の形態３において用いる操作パネルを示す正面図である。
【図８】本発明に係るインキ膜厚の自動補正方法を説明するためのフローチャート（実施の形態３）である。
【図９】輪転印刷機におけるインキ供給装置の要部を示す図である。
【符号の説明】
【００４３】
１…インキツボ、２…インキ、３…インキツボローラ、４（４−１〜４−ｎ）…インキツボキー、５…インキ移しローラ、６…インキローラ群、７，７’…刷版、８…湿し水、９…給水ローラ群、１０…版胴、１１…操作パネル、１１−１，１１−２…プリセットカウンタ、１１−３，１１−４…セレクトスイッチ、１１−５，１１−６…押しボタンスイッチ、１１−７…インキ膜厚補正用のセレクトスイッチ、１１−８…カウンタ、１１−９…トータルカウンタ。
【図１】
2008012929.tif 000003
【図２】
2008012929.tif 000004
【図３】
2008012929.tif 000005
【図４】
2008012929.tif 000006
【図５】
2008012929.tif 000007
【図６】
2008012929.tif 000008
【図７】
2008012929.tif 000009
【図８】
2008012929.tif 000010
【図９】
2008012929.tif 000011